(57)【要約】【課題】室内熱容量を変化させることで室温調整を適切に行えるようにすることである。【解決手段】室温調整システム１０は、大気に比べて単位体積当りの熱容量が１０００倍以上ある流体を蓄熱媒体２０，２１として、室内空間１６に設置される室内側の蓄熱媒体容器２２と、室外空間１８に設置される室外側の蓄熱媒体容器２４と、室内側の蓄熱媒体容器２２と室外側の蓄熱媒体容器２４とを接続する接続管路２６と、接続管路２６に関連して設けられ、少なくとも室内側の蓄熱媒体容器２２の中に収容される蓄熱媒体２０の体積を増減して、室内熱容量を増減する熱容量調整部３０とを備える。【選択図】図１
2016003772.tif 000002
【特許請求の範囲】
【請求項１】
大気に比べて単位体積当りの熱容量が１０００倍以上ある流体を蓄熱媒体として、
室内に設置される室内側の蓄熱媒体容器と、
室外に設置される室外側の蓄熱媒体容器と、
室内側の蓄熱媒体容器と室外側の蓄熱媒体容器とを接続する接続管路と、
接続管路に関連して設けられ、少なくとも室内側の蓄熱媒体容器の中に収容される蓄熱媒体の体積を増減して、室内熱容量を増減する熱容量調整部と、
を備えることを特徴とする室温調整システム。
【請求項２】
請求項１に記載の室温調整システムにおいて、
熱容量調整部は、
一日を複数の時間帯に区分し、
一つの時間帯のときに室内側の蓄熱媒体容器の中の蓄熱媒体の体積を増やして室内熱容量を増大させ、他の時間帯のときに室内側の蓄熱媒体容器の中の蓄熱媒体の体積を減らして室内熱容量を減少させることを特徴とする室温調整システム。
【請求項３】
請求項２に記載の室温調整システムにおいて、
熱容量調整部は、
夏季の昼間の時間帯のときに室内側の蓄熱媒体容器の中の蓄熱媒体の体積を増やして室内熱容量を増大させ、夏季の夜間の時間帯のときに室内側の蓄熱媒体容器の中の蓄熱媒体の体積を減らして室内熱容量を減少させることを特徴とする室温調整システム。
【請求項４】
請求項２に記載の室温調整システムにおいて、
熱容量調整部は、
冬季の昼間の時間帯のときに室内側の蓄熱媒体容器の中の蓄熱媒体の体積を減らして室内熱容量を減少させ、冬季の夜間の時間帯のときに室内側の蓄熱媒体容器の中の蓄熱媒体の体積を増やして室内熱容量を増大させることを特徴とする室温調整システム。
【請求項５】
請求項４に記載の室温調整システムにおいて、
熱容量調整部は、
冬季の昼間の時間帯のときに室内側の蓄熱媒体容器の中の蓄熱媒体を室外側の蓄熱媒体容器の中へ移して室外側の蓄熱媒体の体積を増やし、冬季の夜間の時間帯のときに室外側の蓄熱媒体容器の中の蓄熱媒体を室内側の蓄熱媒体容器の中へ移して室内側の蓄熱媒体容器の中の蓄熱媒体の体積を増やすことを特徴とする室温調整システム。
【請求項６】
請求項１に記載の室温調整システムにおいて、
熱容量調整部は、
蓄熱媒体を接続管路に沿って移送するポンプ装置と、
外部から接続管路に蓄熱媒体を注入する注入装置と、
接続管路から外部に蓄熱媒体を排出する排出装置と、
を含むことを特徴とする室温調整システム。
【発明の詳細な説明】
【技術分野】
【０００１】
本発明は、室温調整システムに係り、特に、大気に比べて単位体積当りの熱容量が大きい流体を蓄熱媒体として用いる室温調整システムに関する。
【背景技術】
【０００２】
温水や冷水を循環させて室内の冷暖房を行うことはよく知られている。例えば、特許文献１では、建造物の屋内の壁に嵌め込む壁水槽を用い、冷房には温度変化の少ない井戸水を使用し、暖房には太陽熱の温水を利用し、これらを適当量循環させることが述べられている。
【０００３】
また、温水タンクや冷水タンクに熱交換パイプを通し、室内の空気をこの熱交換パイプに通して、室内の空気を暖めあるいは冷やすことも行われる。例えば、特許文献２には、地下３〜４ｍの地中は年間を通して安定した温度を保つので、そこに地下水槽を設け、冬の間は冷たい外気を熱交換パイプに流して地下水槽の温度を冷やし、夏の間は暑い外気を熱交換パイプに流して地下水槽の温度を暖めることが述べられている。これを用いて、夏の昼間は、室内の暑い空気を熱交換パイプに流して地下水槽の冷水で熱交換し、冬の昼間は、室内の冷えた空気を熱交換パイプに流し、地下水槽の温水で熱交換することが述べられている。
【先行技術文献】
【特許文献】
【０００４】
【特許文献１】特開平９−２５６５０１号公報
【特許文献２】特開２００８−１８５３２３号公報
【発明の概要】
【発明が解決しようとする課題】
【０００５】
一般的な家電空調機や特許文献１，２に述べられている熱交換装置を用いることで住宅等の室内の温度調整をすることが出来る。このような空調装置の温度調整性は、温度調整を行う室内熱容量によって影響を受ける。例えば、広い室内空間でも熱容量が大きければ、外気の温度変化の影響を受けにくく一旦最適な室温にしたのちの空調負荷は軽い。狭い室内空間でも熱容量が小さければ、外気の温度変化の影響を受けやすく、空調負荷が重い。
【０００６】
このように、室内空間の熱容量の最適化は空調負荷の低減に効果がある。しかし、室内空間の熱容量は、室内構造が定まれば熱容量が定まってしまうので、季節変化や生活様式の変化によって変動する最適熱容量に対応できない。
【０００７】
例えば、夏であれば、昼間は室内熱容量を大きくして暑い外気の影響を受けないようにすることがよいが、夜間は外気が涼しいので、室内熱容量を小さくして涼しい外気の影響を受けやすくする方がよい。冬であれば、昼間は温かい太陽熱の影響を受けやすいように室内熱容量を小さくすることがよいが、夜は冷たい外気の影響を受けないように室内熱容量を大きくすることがよい。また、室内空間で運動をするときや調理等をするときは外気の影響を受けやすくするように室内熱容量を小さくし、室内空間で読書をするときは外気の影響を受けにくくするために室内熱容量を大きくする方がよい。
【０００８】
季節変化や生活様式の変化によって室内熱容量を変化させることが出来れば、体感温度に適合してきめ細かく室温調整ができ、空調負荷を低減させることが出来る。
【０００９】
本発明の目的は、室内熱容量を変化させることを可能にする室温調整システムを提供することである。他の目的は、夏季と冬季とで室内熱容量を変化させることを可能にする室温調整システムを提供することである。さらに別の目的は、昼間と夜間とで室内熱容量を変化させることを可能にする室温調整システムを提供することである。以下の手段は、上記目的の少なくとも１つに貢献する。
【課題を解決するための手段】
【００１０】
本発明に係る室温調整システムは、大気に比べて単位体積当りの熱容量が１０００倍以上ある流体を蓄熱媒体として、室内に設置される室内側の蓄熱媒体容器と、室外に設置される室外側の蓄熱媒体容器と、室内側の蓄熱媒体容器と室外側の蓄熱媒体容器とを接続する接続管路と、接続管路に関連して設けられ、少なくとも室内側の蓄熱媒体容器の中に収容される蓄熱媒体の体積を増減して、室内熱容量を増減する熱容量調整部と、を備えることを特徴とする。
【００１１】
また、本発明に係る室温調整システムにおいて、熱容量調整部は、一日を複数の時間帯に区分し、一つの時間帯のときに室内側の蓄熱媒体容器の中の蓄熱媒体の体積を増やして室内熱容量を増大させ、他の時間帯のときに室内側の蓄熱媒体容器の中の蓄熱媒体の体積を減らして室内熱容量を減少させることが好ましい。
【００１２】
また、本発明に係る室温調整システムにおいて、熱容量調整部は、夏季の昼間の時間帯のときに室内側の蓄熱媒体容器の中の蓄熱媒体の体積を増やして室内熱容量を増大させ、夏季の夜間の時間帯のときに室内側の蓄熱媒体容器の中の蓄熱媒体の体積を減らして室内熱容量を減少させることが好ましい。
【００１３】
また、本発明に係る室温調整システムにおいて、熱容量調整部は、冬季の昼間の時間帯のときに室内側の蓄熱媒体容器の中の蓄熱媒体の体積を減らして室内熱容量を減少させ、冬季の夜間の時間帯のときに室内側の蓄熱媒体容器の中の蓄熱媒体の体積を増やして室内熱容量を増大させることが好ましい。
【００１４】
また、本発明に係る室温調整システムにおいて、熱容量調整部は、冬季の昼間の時間帯のときに室内側の蓄熱媒体容器の中の蓄熱媒体を室外側の蓄熱媒体容器の中へ移して室外側の蓄熱媒体の体積を増やし、冬季の夜間の時間帯のときに室外側の蓄熱媒体容器の中の蓄熱媒体を室内側の蓄熱媒体容器の中へ移して室内側の蓄熱媒体容器の中の蓄熱媒体の体積を増やすことが好ましい。
【００１５】
また、本発明に係る室温調整システムにおいて、熱容量調整部は、蓄熱媒体を接続管路に沿って移送するポンプ装置と、外部から接続管路に蓄熱媒体を注入する注入装置と、接続管路から外部に蓄熱媒体を排出する排出装置と、を含むことが好ましい。
【発明の効果】
【００１６】
上記構成の室温調整システムによれば、室内側の蓄熱媒体容器と室外側の蓄熱媒体容器とを接続管路で接続し、接続管路に関連した箇所に設けられる熱容量調整部によって、少なくとも室内側の蓄熱媒体容器の中に収容される蓄熱媒体の体積を増減して室内熱容量を増減する。これによって、室内熱容量を変化させることが可能となる。
【００１７】
また、室温調整システムにおいて、一日を複数の時間帯に区分し、一つの時間帯のときに室内側の蓄熱媒体容器の中の蓄熱媒体の体積を増やして室内熱容量を増大させ、他の時間帯のときに室内側の蓄熱媒体容器の中の蓄熱媒体の体積を減らして室内熱容量を減少させるので、例えば、昼間と夜間とで室内熱容量を変化させることが可能になる。
【００１８】
また、室温調整システムにおいて、夏季の昼間の時間帯のときに室内側の蓄熱媒体容器の中の蓄熱媒体の体積を増やして室内熱容量を増大させ、夏季の夜間の時間帯のときに室内側の蓄熱媒体容器の中の蓄熱媒体の体積を減らして室内熱容量を減少させるので、夏季において昼間と夜間とで室内熱容量を変化させることが可能になる。
【００１９】
また、室温調整システムにおいて、冬季の昼間の時間帯のときに室内側の蓄熱媒体容器の中の蓄熱媒体の体積を減らして室内熱容量を減少させ、冬季の夜間の時間帯のときに室内側の蓄熱媒体容器の中の蓄熱媒体の体積を増やして室内熱容量を増大させるので、冬季において昼間と夜間とで室内熱容量を変化させることが可能になる。
【００２０】
また、室温調整システムにおいて、冬季の昼間の時間帯のときに室内側の蓄熱媒体容器の中の蓄熱媒体を室外側の蓄熱媒体容器の中へ移して室外側の蓄熱媒体の体積を増やし、冬季の夜間の時間帯のときに室外側の蓄熱媒体容器の中の蓄熱媒体を室内側の蓄熱媒体容器の中へ移して室内側の蓄熱媒体容器の中の蓄熱媒体の体積を増やす。これによって、冬季の昼間の時間帯において、例えば、太陽光エネルギで室外側の蓄熱媒体を暖めておいて、夜間の時間帯において、その暖めた蓄熱媒体を室内側の蓄熱媒体容器に移せば、室内温度を温かくすることが出来る。
【００２１】
また、室温調整システムにおいて、蓄熱媒体を接続管路に沿って移送するポンプ装置と、外部から接続管路に蓄熱媒体を注入する注入装置と、接続管路から外部に蓄熱媒体を排出する排出装置と、を含むので、これらの操作によって、少なくとも室内側の蓄熱媒体容器の中に収容される蓄熱媒体の体積を増減して、室内熱容量を増減することが出来る。
【図面の簡単な説明】
【００２２】
【図１】本発明に係る実施の形態における室温調整システムの構成図である。
【図２】本発明に係る実施の形態の室温調整システムにおいて、室内熱容量の調整の４つの場合を示す図である。図２（ａ）は、室内側の蓄熱媒体容器と室外側の蓄熱媒体容器の両方にまだ蓄熱媒体が充填されていない空の状態を示し、（ｂ）は、室内側の蓄熱媒体容器のみに蓄熱媒体が満充填された状態を示し、（ｃ）は、室内側の蓄熱媒体容器と室外側の蓄熱媒体容器の両方に蓄熱媒体が満充填された状態を示し、（ｄ）は、室外側の蓄熱媒体容器のみに蓄熱媒体が満充填された状態を示す図である。
【図３】室内熱容量の大小によって最高室温と最低室温が変化することを示す図である。
【図４】本発明に係る実施の形態において、一日の時間帯に応じて室内熱容量を変化させて、昼間及び夜間の最高室温を共に下げて一日を通して涼しくする例を示す図である。
【図５】本発明に係る実施の形態において、一日の時間帯に応じて室内熱容量を変化させて、昼間及び夜間の最高室温を共に上げて一日を通して暖かくする例を示す図である。
【図６】本発明に係る実施の形態において、室内熱容量を可変できるモデルハウスの見取図である。
【図７】本発明に係る実施の形態において、室内熱容量を可変できるモデル室の構成を示す斜視図である。
【図８】図７のモデル室の室内熱容量等を計算するためのパラメータを示す図である。
【図９】本発明に係る実施の形態において、室内熱容量の大小によって夏季の最高室温がどのように変化するかの実測値を示す図である。
【図１０】本発明に係る実施の形態において、一日の時間帯に応じて室内熱容量を可変したときの夏季の最高室温の実測値を示す図である。
【図１１】本発明に係る実施の形態において、一日の時間帯に応じて室内熱容量を可変したときの冬季の最高室温の実測値を示す図である。
【図１２】本発明に係る実施の形態において、一日の時間帯に応じて室内熱容量を可変したときの冬季の最低室温の実測値を示す図である。
【図１３】本発明に係る実施の形態のモデル室において、室内熱容量を変化させたときの最高室温と最低室温の計算値を示す図である。
【図１４】本発明に係る実施の形態のモデル室において、単位伝熱面積当たりの室内熱容量を変化させたときの最高室温と最低室温の計算値を示す図である。
【発明を実施するための形態】
【００２３】
以下に図面を用いて本発明に係る実施の形態につき、詳細に説明する。以下で述べるモデルハウスにおける構造、寸法、材質等は、説明のための一例である。また、室内熱容量可変方法も説明のための例示であって、室温調整システムの仕様等に合わせ、適宜変更が可能である。また、以下では、全ての図面において同様の要素には同一の符号を付し、重複する説明を省略する。
【００２４】
図１は、室温調整システム１０の構成を示す図である。図１は、大地１２の上に建造された建物１４の断面図である。建物１４における室温調整システム１０は、室温調整の対象空間である室内空間１６と、その外側で太陽光を受けるサンルームである室外空間１８とを有する。室外空間１８は、建物１４の外部にある戸外空間ではない。ここでは、建物１４の内部空間について、室温調整の対象空間かそれ以外の空間かによって、室内空間１６と室外空間１８を区別している。
【００２５】
室温調整システム１０は、一般的な家電空調機や特許文献１，２に述べられている温水循環式熱交換装置を用いず、太陽エネルギと空気温度を利用しながら、室内空間１６の熱容量である室内熱容量を調整することで室内空間１６の室温を調整する。すなわち、「健康で持続可能なライフスタイル」を指すロハス（Ｌｉｆｅｓｔｙｌｅｓ  Ｏｆ  Ｈｅａｌｔｈ  Ａｎｄ  Ｓｕｓｔａｉｎａｂｉｌｉｔｙ：ＬＯＨＡＳ）を実現するための室温調整システムの例である。
【００２６】
室内熱容量の調整は、大気である空気に比べて単位体積当りの熱容量が１０００倍以上ある流体を蓄熱媒体２０として、室内空間１６における蓄熱媒体２０の体積を増減することで行う。このような蓄熱媒体２０の例は、水である。（単位体積当り熱容量）＝（密度）×（比熱）で求められるが、水は空気に比べ、密度が約９００倍大きく、比熱が約４倍大きい（後述する図８参照）。したがって、水の単位体積当り熱容量は、空気の単位体積当り熱容量の約３６００倍大きい。換言すれば、水１ｄｍ3の熱容量は、３．６ｍ3の空気の熱容量と同じである。
【００２７】
蓄熱媒体２０としての水としては、水道水、井戸水等をそのまま用いることが出来る。水以外でも、室内空間１６の内部における占有体積を可変できる流体であれば蓄熱媒体２０として用いることが出来る。水に不凍液、防錆材、防腐剤等を添加してもよい。添加物の比熱や添加量によるが、数％程度の添加量であれば、単位体積当りの熱容量は水単体に比べ大きな変化はない。水以外の有機溶媒等を蓄熱媒体２０として用いてもよい。一例として、エチレングリコールを用いる場合、その単位体積当りの熱容量は水単体の単位体積当りの熱容量に対し、０．８倍程度である。
【００２８】
目的に応じて蓄熱媒体２０として液体である流体の種類を選択するとして、空気に比べて単位体積当りの熱容量が１０００倍以上ある流体を蓄熱媒体２０として用いることにすれば、室内空間１６の内部の蓄熱媒体２０の体積を１ｄｍ3増減すると、室内空間１６の内部空間の容積を１ｍ3以上増減することと同じ室内熱容量の増減に対応する。このことから、室内空間１６の内部における蓄熱媒体２０の体積を可変することで、室内空間１６の熱容量である室内熱容量を効率よく可変できることが分かる。以下では、蓄熱媒体２０として、水道水を用いる。
【００２９】
室内空間１６に設置される室内側の蓄熱媒体容器２２は、蓄熱媒体２０を収容する容器で、この内部の蓄熱媒体２０の体積を増減することで室内空間１６の熱容量を増減することに用いられる。同様に、室外空間１８に設置される室外側の蓄熱媒体容器２４は、蓄熱媒体２１を収容する容器である。かかる蓄熱媒体容器２２，２４としては、熱伝導率のよい材質で構成される円筒形容器を用いることが出来る。円筒形容器とすることで、角型容器等に比べ、同じ容器体積のときの単位表面積当たりの伝熱効率を高めることが出来る。熱伝導率のよい材質としては金属を用いることが出来る。以下では、蓄熱媒体容器２２，２４として、ステンレス鋼で構成される円筒形容器を用いる。
【００３０】
接続管路２６は、室内側の蓄熱媒体容器２２と室外側の蓄熱媒体容器２４とを接続する蓄熱媒体流路用パイプである。接続管路２６は、室内側の蓄熱媒体容器２２の上端部と室外側の蓄熱媒体容器２４の底面端とを結ぶ第１管路と、室外側の蓄熱媒体容器２４の上端部と室内側の蓄熱媒体容器２２の底面端とを結ぶ第２管路とで構成される。この構成により、（室内側の蓄熱媒体容器２２）−（第１管路）−（室外側の蓄熱媒体容器２４）−（第２管路）のループで、蓄熱媒体２０，２１の循環路が形成される。
【００３１】
熱容量調整部３０は、接続管路２６に関連して設けられ、少なくとも室内側の蓄熱媒体容器２２の中に収容される蓄熱媒体２０の体積を増減して、室内熱容量を増減する装置群である。熱容量調整部３０は、２つのポンプ装置３２，３４と３つの開閉弁３６，３８，４０で構成される。
【００３２】
ポンプ装置３２は、室内側の蓄熱媒体容器２２の上端部に接続され、外部の水供給源から水を室内側の蓄熱媒体容器２２に注入して充填するときに用いられる注入装置である。外部の水供給源は、例えば地下の水タンク等である。これに代えて、水道管を室内空間１６の内部に引き込んで室内側の蓄熱媒体容器２２の上端部に接続してもよい。その場合には、ポンプ装置３２を水道管の開閉バルブに置き替えることが出来る。
【００３３】
ポンプ装置３４は、接続管路２６の途中に設けられ、蓄熱媒体２０，２１を接続管路２６に沿って移送する電動ポンプである。図１の例では、ポンプ装置３４は、室外側の蓄熱媒体容器２４の上端部と室内側の蓄熱媒体容器２２の底面端とを結ぶ第２管路の途中に設けられる。ポンプ装置３４は、室内側の蓄熱媒体容器２２の側に蓄熱媒体を移送することもでき、逆に室外側の蓄熱媒体容器２４の側に蓄熱媒体を移送することもできるように、双方向移送可能なポンプであることが好ましい。
【００３４】
開閉弁３６，３８，４０は、必要に応じてポンプ装置３４と協働しながら、室内側の蓄熱媒体容器２２と室内側の蓄熱媒体容器２４の間で蓄熱媒体２０，２１を移送し、あるいは蓄熱媒体２０，２１を外部に排出し、あるいは外部から蓄熱媒体を蓄熱媒体容器２２，２４に充填する機能を有する弁である。開閉弁３８は、蓄熱媒体を外部から接続管路２６に注入する注入装置であり、一方端が接続管路２６において室外側の蓄熱媒体容器２４に近い側で接続され、他方端に水道管が接続される。開閉弁４０は、蓄熱媒体を接続管路２６から外部に排出する排出装置で、一方端が接続管路２６においてポンプ装置３４に近い側で接続され、他方端が排出タンク等に開放される。開閉弁３６は、開閉弁３８，４０の間に設けられ、接続管路２６において蓄熱媒体を流すかまたは遮断するかの間で切り替える切替装置である。
【００３５】
上記では、ポンプ装置３２を室内側の蓄熱媒体容器２２に接続し、ポンプ装置３４と開閉弁３６，３８，４０を第２接続管路に設けるものとし、室外側の蓄熱媒体容器２４側の開閉弁３８を注入装置とし、ポンプ装置３４側の開閉弁４０を排出装置とする構成とした。少なくとも室内側の蓄熱媒体容器２２の中に収容される蓄熱媒体２０の体積を増減して、室内熱容量を増減することが可能な装置群であれば、これ以外の構成であってもよい。例えば、ポンプ装置３４と開閉弁３６，３８，４０を第１接続管路に設けるものとしてもよい。
【００３６】
図２は、熱容量調整部３０の作用を場合分けして示す図である。熱容量調整部３０を構成する２つのポンプ装置３２，３４、３つの開閉弁３６，３８，４０の動作を組み合わせることで、室内側の蓄熱媒体容器２２の中の蓄熱媒体２０の体積、室外側の蓄熱媒体容器２４の中の蓄熱媒体２１の体積を調整できる。
【００３７】
図２（ａ）は、室内側の蓄熱媒体容器２２と室外側の蓄熱媒体容器２４の両方にまだ蓄熱媒体が充填されていない初期状態の場合を示す図である。ここでは、ポンプ装置３２，３４は停止状態で、注入装置である開閉弁３８は閉状態とされ、排出装置である開閉弁４０は開状態とされ、切替装置である開閉弁３６は接続状態とされる。
【００３８】
図２（ｂ）は、室内側の蓄熱媒体容器２２のみに蓄熱媒体２０が満充填された状態である場合を示す図である。図２（ａ）の状態から（ｂ）の状態にするには、ポンプ装置３４を停止状態とし、注入装置である開閉弁３８を閉状態とし、排出装置である開閉弁４０を閉状態とし、切替装置である開閉弁３６を遮断状態とした上で、ポンプ装置３２を作動させて、蓄熱媒体を外部から室内側の蓄熱媒体容器２２に注入する。そして、室内側の蓄熱媒体容器２２において蓄熱媒体２０の水位が蓄熱媒体容器２２の上端部に達したときにポンプ装置３２の動作を止める。
【００３９】
図２（ｃ）は、室内側の蓄熱媒体容器２２に蓄熱媒体２０が満充填され、室外側の蓄熱媒体容器２４に蓄熱媒体２１が満充填された状態を示す図である。図２（ｂ）の状態から（ｃ）の状態にするには、ポンプ装置３４を停止状態とし、注入装置である開閉弁３８を閉状態とし、排出装置である開閉弁４０を閉状態とし、切替装置である開閉弁３６を遮断状態とした上で、ポンプ装置３２を図２（ｂ）の状態からさらに作動を継続する。この場合、室内側の蓄熱媒体容器２２に過剰に注入された蓄熱媒体は、室内側の蓄熱媒体容器２２の上端部から、第１の接続流路を通って室外側の蓄熱媒体容器２４の底部に向かって流れる。これによって、室外側の蓄熱媒体容器２４において蓄熱媒体２１の水位が次第に上昇する。室外側の蓄熱媒体容器２４において蓄熱媒体２１の水位が蓄熱媒体容器２４の上端部に達したときにポンプ装置３２の動作を止める。
【００４０】
図２（ｄ）は、室外側の蓄熱媒体容器２４のみに蓄熱媒体２１が満充填された状態を示す図である。図２（ｃ）の状態から（ｄ）の状態にするには、ポンプ装置３２を停止状態とし、注入装置である開閉弁３８を閉状態とし、排出装置である開閉弁４０を開状態とし、切替装置である開閉弁３６を接続状態とする。その上で、ポンプ装置３４を作動させて、室内側の蓄熱媒体容器２２の底部から排出装置である開閉弁４０の側に蓄熱媒体を移送させて外部に排出する。これによって、室内側の蓄熱媒体容器２２における水位が次第に低下するので、低下した水位が蓄熱媒体容器２２の底部に達したところでポンプ装置３４の作動を止める。
【００４１】
このように、熱容量調整部３０を構成する２つのポンプ装置３２，３４、３つの開閉弁３６，３８，４０の動作を組み合わせることで、図２（ａ），（ｂ），（ｃ），（ｄ）の４つの状態を作り出すことができる。この４つの場合は典型的な場合であって、２つのポンプ装置３２，３４、３つの開閉弁３６，３８，４０の動作の適切な組み合わせによって、これ以外の状態を作り出すことが可能である。
【００４２】
例えば、室内側の蓄熱媒体容器２２の中の蓄熱媒体２０の水位を満充填状態と空の状態の中間において任意の水位状態にすることが出来る。１つの方法は、図２（ｂ）において、蓄熱媒体容器２２における蓄熱媒体２０の水位が満充填状態になる前の任意の水位に達したところでポンプ装置３２の作動を止めることである。他の方法は、図２（ｂ）において、蓄熱媒体容器２２における蓄熱媒体２０の水位が満充填状態になった後で、図２（ｄ）で説明したように、ポンプ装置３２を停止状態とし、注入装置弁である開閉弁３８を閉状態とし、排出装置である開閉弁４０を開状態とし、切替装置である開閉弁３６を接続状態とする。その上で、ポンプ装置３４を作動させて、室内側の蓄熱媒体容器２２の底部から排出装置である開閉弁４０の側に蓄熱媒体を移送させて外部に排出する。そして、室内側の蓄熱媒体容器２２において任意の水位となったところで排出装置である開閉弁４０を閉じ、ポンプ装置３４の作動を止める。
【００４３】
また、室外側の蓄熱媒体容器２４の中の蓄熱媒体２１の水位を満充填状態と空の状態の中間において任意の水位状態にすることが出来る。１つの方法は、図２（ｃ）において、蓄熱媒体容器２４における蓄熱媒体２１の水位が満充填状態になる前の任意の水位に達したところでポンプ装置３２の作動を止めることである。この方法によれば、室内側の蓄熱媒体容器２２の中の蓄熱媒体２０の水位を満充填状態に維持しつつ、室外側の蓄熱媒体容器２４の中の蓄熱媒体２１の水位を任意に設定することが出来る。
【００４４】
他の方法は、図２（ｄ）において、蓄熱媒体容器２４における蓄熱媒体２１の水位が満充填状態になった後で、ポンプ装置３２を停止状態のまま、注入装置である開閉弁３８を閉状態とし、排出装置である開閉弁４０を開状態とし、切替装置である開閉弁３６を接続状態とする。その上で、ポンプ装置３４を作動させて、室内側の蓄熱媒体容器２２の底部から排出装置である開閉弁４０の側に吸引動作を行う。これによって、室外側の蓄熱媒体容器２４の底部から室内側の蓄熱媒体容器２２の側に蓄熱媒体が吸引される。室内側の蓄熱媒体容器２２に吸引された蓄熱媒体は、ポンプ装置３４によってさらに排出装置である開閉弁４０の側に吸引され、開閉弁４０から外部に排出される。そして、室外側の蓄熱媒体容器２４において任意の水位に下がったところで排出装置である開閉弁４０を閉じ、ポンプ装置３４の作動を止める。この方法によれば、室内側の蓄熱媒体容器２２の中に蓄熱媒体２０が空である状態を維持しつつ、室外側の蓄熱媒体容器２４の中の蓄熱媒体２１の水位を任意に設定することが出来る。
【００４５】
かかる熱容量調整部３０の作用を用いて、室内空間１６の室内熱容量を増減し、これによって、室内空間１６の室温を夏は涼しく、冬は暖かくするように調整することが出来る。そのことを図３から図５を用いて説明する。
【００４６】
図３は、建物の構造によって定まる室内熱容量の大小によって、最高室温と最低室温が変化することを示す一般的な概念図である。図３の横軸は室内熱容量ＣR、縦軸は室温である。図３では、室内熱容量ＣRが小さい値ＣRSの例として木造建築家屋、室内熱容量ＣRが大きい値ＣRLの例としてコンクリート造建築家屋を示した。コンクリート造は、木造構造において代表的に用いられる合板に比べ、比熱は約０．８倍と小さいが、密度が約５倍大きく、使用している体積も約２０倍大きいので、単位体積当り熱容量は約８０倍大きい。したがって、同じ室内空間であれば、コンクリート造建築家屋の室内熱容量は、木造建築家屋の室内熱容量の約８０倍となる。
【００４７】
図３には、室内熱容量ＣRに対する最高室温特性線５０と最低室温特性線５２を示した。ここに示されるように、室内熱容量が小さい値ＣRSにおける最高室温と最低室温との間の温度差ΔＴSは、室内熱容量が大きな値ＣRLにおける最高室温と最低室温との間の温度差ΔＴLよりも大きい。つまり、室内熱容量が小さいほど、一日の間での室温の変化幅が大きくなる。コンクリート造建築家屋の室内熱容量も、木造建築家屋の室内熱容量も、建築仕様によって定まり、一旦建築されると後で室内熱容量を変更することが困難である。
【００４８】
図１の構成によれば、熱容量調整部３０の作用によって、建物１４における室内熱容量を可変できる。図４と図５は、その作用を利用する例を示す図である。
【００４９】
図４は、一日の時間帯に応じて室内熱容量を変化させ、昼間及び夜間の最高室温を共に下げて一日を通して涼しくする例を示す図である。図４の横軸は時間で、横軸の左側に昼間の時間帯が取られ、右側に夜間の時間帯が取られる。縦軸は室温である。室温特性線５４は、室内熱容量ＣRが小さい値ＣRSのときの室内空間１６の室温変化を示す特性線で、室温特性線５６は、室内熱容量ＣRが大きい値ＣRLのときの室内空間１６の室温変化を示す特性線である。図３で説明したように、室内熱容量ＣRが小さい値ＣRSのときの室温特性線５４の一日の間での室温の変化幅は、室内熱容量ＣRが大きい値ＣRLのときの室温特性線５６の一日の間での室温の変化幅よりも大きくなる。
【００５０】
したがって、室内熱容量ＣRが小さい値ＣRSのときの最高室温は、室内熱容量ＣRが大きい値ＣRLのときの最高室温に比べ高くなり、室内熱容量ＣRが小さい値ＣRSのときの最低室温は、室内熱容量ＣRが大きい値ＣRLのときの最低室温に比べ低くなる。つまり、室内熱容量ＣRが小さい値ＣRSのときは、昼間時間帯が暑く、夜間時間帯で涼しくなる。これに対し、室内熱容量ＣRが大きい値ＣRLのときは、昼間時間帯が涼しいが、夜間時間帯が暑くなる。
【００５１】
そこで、昼間時間帯において室内熱容量を大きな値ＣRLとし、夜間時間帯において室内熱容量を小さな値ＣRSとすれば、室温特性線５８に示すように、昼間時間帯を涼しく、夜間時間帯も涼しくすることが出来る。すなわち、夏季においては、昼間時間帯において室内熱容量を大きな値ＣRLとし、夜間時間帯において室内熱容量を小さな値ＣRSとするような室内熱容量調整５９を行うことで、室温調整を最適なものと出来る。
【００５２】
図５は、一日の時間帯に応じて室内熱容量を変化させて、昼間及び夜間の最高室温を共に上げて一日を通して暖かくする例を示す図である。図５の横軸、縦軸は、図４と同じである。室温特性線５４，５６も図４で説明したものと同様である。
【００５３】
図４で説明したように、室内熱容量ＣRが小さい値ＣRSのときの最高室温は、室内熱容量ＣRが大きい値ＣRLのときの最高室温に比べ高くなり、室内熱容量ＣRが小さい値ＣRSのときの最低室温は、室内熱容量ＣRが大きい値ＣRLのときの最低室温に比べ低くなる。換言すれば、室内熱容量ＣRが小さい値ＣRSのときは、昼間時間帯が暖かいが、夜間時間帯で冷える。これに対し、室内熱容量ＣRが大きい値ＣRLのときは、昼間時間帯があまり暖かくないが、夜間時間帯の冷えが小さくなる。
【００５４】
そこで、昼間時間帯において室内熱容量を小さな値ＣRSとし、夜間時間帯において室内熱容量を大きな値ＣRLとすれば、室温特性線６０に示すように、昼間時間帯を暖かくでき、夜間時間帯の冷えも押えることが出来る。すなわち、冬季においては、図４で説明した内容とは逆に、昼間時間帯において室内熱容量を小さな値ＣRSとし、夜間時間帯において室内熱容量を大きな値ＣRLとするような室内熱容量調整６１を行うことで、室温調整を最適なものと出来る。
【００５５】
モデルハウスを用いて上記構成の作用を実証した結果について、図６から図１４を用いて詳細に説明する。図６から図８は、モデルハウスの内容を示す図で、図９から図１２はモデルハウスにおける実測結果を示す図で、図４，５に対応するものである。図１３，１４は、モデルハウスについてシミュレーション計算を行った結果を示す図で、図３に対応するものである。
【００５６】
図６は、実証に用いたモデルハウスの見取図である。実証に用いたモデルハウスは、福島県郡山市における出願人の敷地内に建てられた「ロハスの家３号」について、室内熱容量を可変できるように、熱容量調整部３０を付加する改良を行った建物である。「ロハスの家３号」は、太陽エネルギで蓄熱媒体を暖め、暖めた蓄熱媒体を循環させる構造を有する太陽熱利用温水暖房を行うことが出来る建物である。「ロハスの家３号」は室内熱容量を可変することが出来ない。図１の構成の作用の実証のために、「ロハスの家３号」に熱容量調整部３０を付加する改良を行った。この「改良ロハスの家３号」をモデルハウスとし、図６では建物１４として示した。図６には、南Ｓ北Ｎの方位を示した。図６は見取図であるので、熱容量調整部３０の図示を省略した。
【００５７】
モデルハウスである建物１４は、ほぼ中央に南北方向に延びるアプローチ部１３を有する。そして、アプローチ部１３の両側にダイニングキッチンルーム１５と、ダイニングキッチンルーム１５側のサンルーム１７と、図１の室内空間１６に対応する書斎と、書斎側のサンルームである室外空間１８とを有する。ダイニングキッチンルーム１５と、書斎である室内空間１６には、室内側の蓄熱媒体容器２２が設けられる。ダイニングキッチンルーム１５側のサンルーム１７と、書斎側のサンルームである室外空間１８には、室外側の蓄熱媒体容器２４が設けられる。ダイニングキッチンルーム１５と、書斎である室内空間１６は、床面積も天井高さも同じある。両者の間の相違は、ダイニングキッチンルーム１５には厨房装置が備えられ、その隣にバスルームとトイレットルーム等の付属室１９が接続する点である。
【００５８】
モデルハウスである建物１４は、北側からアプローチ部１３を入り、突き当りのドアから南側の廊下部に入り、廊下部の西側のドアから室外空間１８であるサンルームに入り、室外空間１８の北側のドアから室内空間１６に入ることが出来る。また、廊下部の東側のドアからダイニングキッチンルーム１５側のサンルーム１７に入り、サンルーム１７の北側のドアからダイニングキッチンルーム１５に入ることが出来る。ダイニングキッチンルーム１５の東側のドアを通って付属室１９に進むことが出来る。
【００５９】
書斎である室内空間１６は、床面と天井面と四方の側壁に囲まれた空間に室内側の蓄熱媒体容器２２が設けられるのみの構造で、モデルハウスである建物１４において、熱容量調整部３０の作用を正確に実証できるモデル室に相当する。
【００６０】
図７は、建物１４における室内空間１６と室外空間１８に関する構成を示す斜視図である。室内空間１６の床面積は約１４．９１ｍ2で、天井高さは約２．９ｍである。室外空間１８は室内空間１６の約３０％の容積の空間である。室外空間１８の南側は全面ガラス壁で、太陽光が直接入射する構造である。
【００６１】
室内空間１６の天井面、四方の側壁面は、室内側から厚さ１００ｍｍの発泡ウレタン、厚さ１２ｍｍの合板、厚さ１２ｍｍの吸音板の積層構造で構成される。床面は、室内側から厚さ１．８ｍｍのビニルシート、厚さ１２ｍの合板、厚さ１２０ｍｍのコンクリート、厚さ５０ｍｍの発泡ウレタン、厚さ１５０ｍｍの砕石層の積層構造で構成される。なお、北側壁面に複層ガラスが嵌め込まれる開口部が設けられる。
【００６２】
室内空間１６の北側には、円筒形容器である蓄熱媒体容器２２が複数本立てて設けられる。蓄熱媒体容器２２の高さは約２．７ｍである。蓄熱媒体容器２２の内径寸法と本数は、実証実験においていくつかの種類が用いられる。図８から図１２では、内径が２００ｍｍ、本数は６本である。図１３では、本数を６本、１２本、１８本として計算が行われる。図１４では、内径が５０ｍｍ、１００ｍｍ、１５０ｍｍ、２００ｍｍ、４００ｍｍ、６００ｍｍとして計算が行われる。
【００６３】
室外空間１８の北側には、円筒形容器である蓄熱媒体容器２４が複数本立てて設けられる。蓄熱媒体容器２４の高さは約２．０ｍである。図８から図１２では、内径が２００ｍｍ、本数は６本である。
【００６４】
図８は、室内空間１６と室外空間１８の室内熱容量、蓄熱媒体容器２２，２４の熱容量を求めるために用いたパラメータである物性値を示す図である。図８の物性値を用いて計算した結果、蓄熱媒体容器２２に水を満充填したときの熱容量は、内径を２００ｍｍ、本数を６本として、約２．１ＭＪ／Ｋである。また、蓄熱媒体容器２２に水が充填されていない空の状態における室内空間１６の室内熱容量は、約１．０ＭＪ／Ｋである。
【００６５】
図９から図１１は、図４，５で説明した作用について実測した結果を示す図である。これらの実測においては、書斎である室内空間１６とダイニングキッチンルーム１５の室内空間容積が同じであることを利用し、両者の室内側の蓄熱媒体容器２２の熱容量を図４，５で説明した内容に沿って異ならせ、その結果生じる室温の相違を実測した。以下では、蓄熱媒体の熱容量を一日の昼間と夜間とで異ならせる例を示すが、これは一例であって、一日を３以上の複数の時間帯に区分し、それぞれの時間帯における蓄熱媒体の熱容量を異ならせてもよい。
【００６６】
図９は、室内熱容量ＣRの大小によって夏季の最高室温がどのように変化するかの実測値を示す図である。ここでは、室内空間１６における蓄熱媒体容器２２に蓄熱媒体２０を満充填して室内熱容量ＣRを大きな値ＣRLとし、ダイニングキッチンルーム１５における蓄熱媒体容器２２に蓄熱媒体２０を全く充填しない空状態として室内熱容量ＣRを小さな値ＣRSとした。図９（ａ）は、室内空間１６における室内熱容量ＣRを一日の全体に渡って大きな値ＣRLとすることを示す図で、（ｂ）は、ダイニングキッチンルーム１５における室内熱容量ＣRを一日の全体に渡って小さな値ＣRSとすることを示す図である。
【００６７】
図９（ｃ）は、横軸に、室内空間１６における一日を通しての最高室温の実測値を取り、縦軸にダイニングキッチンルーム１５における一日を通しての最高室温の実測値を取った図である。実測は、６日間に渡って行った。この結果から、室内熱容量ＣRを大きな値ＣRLとすると、室内熱容量ＣRを小さな値ＣRSとする場合に比べ、最高室温が約１〜２℃低くなることが分かる。
【００６８】
図１０は、室内熱容量ＣRを一日の時間帯において変化させた場合の夏季の最高室温がどのように変化するかの実測値を示す図である。ここでは、図９と同様に、室内空間１６における蓄熱媒体容器２２に蓄熱媒体２０を満充填して室内熱容量ＣRを大きな値ＣRLとする。これに対し、ダイニングキッチンルーム１５においては、昼間の時間帯の室内熱容量ＣRを大きな値ＣRLとし、夜間の時間帯の室内熱容量ＣRを小さな値ＣRSとした。図１０（ａ）は、図９（ａ）と同様に、室内空間１６における室内熱容量ＣRを一日の全体に渡って大きな値ＣRLとすることを示す図である。図１０（ｂ）は、ダイニングキッチンルーム１５における室内熱容量ＣRについて、０時から９時までと、１９時から２４時までの時間帯は小さな値ＣRSとし、昼間の９時から１９時までの時間帯は大きな値ＣRLとすることを示す図である。なお、昼間時間帯において、室内空間１６とダイニングキッチンルーム１５のそれぞれについて換気を行った。
【００６９】
図１０（ｃ）は、横軸に、室内空間１６における一日を通しての最高室温の実測値を取り、縦軸にダイニングキッチンルーム１５における一日を通しての最高室温の実測値を取った図である。実測は、４日間に渡って行った。この結果から、室内熱容量ＣRを大きな値ＣRLとするのは、一日中でなくても昼間の時間帯だけとしても最高室温が同じとなることが分かる。図９（ｃ）の実測結果を合わせると、昼間の時間帯だけ室内熱容量ＣRを大きな値ＣRLとすることで、室内熱容量室内熱容量ＣRを小さな値ＣRSとする場合に比べ、最高室温が約１〜２℃低くなる。図９，１０の結果は、図４で述べた作用効果とよく一致している。
【００７０】
図１１は、室内熱容量ＣRを一日の時間帯において変化させた場合の冬季の最高室温がどのように変化するかの実測値を示す図である。ここでは、室内空間１６における蓄熱媒体容器２２に蓄熱媒体２０を満充填状態として室内熱容量ＣRを大きな値ＣRLとする。これに対し、ダイニングキッチンルーム１５においては、昼間の時間帯の室内熱容量ＣRを小さな値ＣRSとし、夜間の時間帯の室内熱容量ＣRを大きな値ＣRLとした。図１１（ａ）は、室内空間１６における室内熱容量ＣRを一日の全体に渡って大きな値ＣRLとすることを示す図である。図１１（ｂ）は、ダイニングキッチンルーム１５における室内熱容量ＣRについて、０時から１０時までと、１７時から２４時までの時間帯は大きな値ＣRLとし、昼間の１０時から１７時までの時間帯は小さな値ＣRSとすることを示す図である。
【００７１】
図１１（ｃ）は、横軸に、室内空間１６における一日を通しての最高室温の実測値を取り、縦軸にダイニングキッチンルーム１５における一日を通しての最高室温の実測値を取った図である。実測は、６日間に渡って行った。この結果から、室内熱容量ＣRを昼間の時間帯において小さな値ＣRSとし、夜間の時間帯において大きな値ＣRLとすることで、一日を通して室内熱容量ＣRを大きな値ＣRLとすることに比べ、最高室温が約１〜１．５℃上昇し、昼間時間帯において暖かくできることが分かる。
【００７２】
図１２は、室内熱容量ＣRを一日の時間帯において変化させた場合の冬季の最低室温がどのように変化するかの実測値を示す図である。ここでは、室内空間１６における蓄熱媒体容器２２に蓄熱媒体２０を充填せず空状態として室内熱容量ＣRを小さな値ＣRSとする。ダイニングキッチンルーム１５については、図１１と同様に、昼間の時間帯の室内熱容量ＣRを小さな値ＣRSとし、夜間の時間帯の室内熱容量ＣRを大きな値ＣRLとした。図１２（ａ）は、室内空間１６における室内熱容量ＣRを一日の全体に渡って小さな値ＣRSとすることを示す図である。図１１（ｂ）は、ダイニングキッチンルーム１５における室内熱容量ＣRについて、０時から１０時までと、１７時から２４時までの時間帯は大きな値ＣRLとし、昼間の１０時から１７時までの時間帯は小さな値ＣRSとすることを示す図である。
【００７３】
図１２（ｃ）は、横軸に、室内空間１６における一日を通しての最高室温の実測値を取り、縦軸にダイニングキッチンルーム１５における一日を通しての最高室温の実測値を取った図である。実測は、６日間に渡って行った。この結果から、室内熱容量ＣRを昼間の時間帯において小さな値ＣRSとし、夜間の時間帯において大きな値ＣRLとすることで、一日を通して室内熱容量ＣRを小さな値ＣRSとすることに比べ、最高室温が約１〜２℃上昇し、夜間時間帯において暖かくできることが分かる。
【００７４】
このように、冬季においては、室内熱容量ＣRを昼間時間帯で小さな値ＣRSとし、夜間時間帯で大きな値ＣRLとすることで、昼間時間帯でも夜間時間帯でも暖かくできる。このことは、図５で説明した作用とよく一致する。
【００７５】
なお、冬季の昼間の時間帯のときに室内側の蓄熱媒体容器２２の中の蓄熱媒体２０を室外側の蓄熱媒体容器２４の中へ移して室外側の蓄熱媒体２１の体積を増やし、冬季の夜間の時間帯のときに室外側の蓄熱媒体容器２４の中の蓄熱媒体２１を室内側の蓄熱媒体容器２２の中へ移して室内側の蓄熱媒体容器２２の中の蓄熱媒体２０の体積を増やすことがよい。これによって、冬季の昼間の時間帯において、例えば、太陽光エネルギで室外側の蓄熱媒体を暖めておいて、夜間の時間帯において、その暖めた蓄熱媒体を室内側の蓄熱媒体容器に移せば、室内温度をさらに温かくすることが出来る。
【００７６】
図９から図１２は、室内側の蓄熱媒体容器２２を内径２００ｍｍ、本数を６本として、一日の時間帯において室内熱容量ＣRを可変して室温調整が行えることを実測値で示した。図１３は、室内熱容量ＣRを変化させたときの最高室温と最低室温がどのように変化するかをシミュレーション計算によって求めた結果を示す図である。ここでは、室内側の蓄熱媒体容器２２の内径を２００ｍｍのままとして、本数を６本、１２本、１８本と変化させた。
【００７７】
室内側の蓄熱媒体容器２２に蓄熱媒体２０が全く充填されていない空の状態では、室内熱容量ＣRは、１ＭＪ／Ｋである。室内側の蓄熱媒体容器２２の６本に蓄熱媒体２０が満充填された状態では、室内熱容量ＣRは２．１ＭＪ／Ｋ増加して、合計３．１ＭＪ／Ｋになる。１２本に蓄熱媒体２０が満充填されると室内熱容量ＣRはさらに２．１ＭＪ／Ｋ増加して合計５．２ＭＪ／Ｋとなる。１８本に蓄熱媒体２０が満充填されると室内熱容量ＣRはさらに２．１ＭＪ／Ｋ増加して合計７．３ＭＪ／Ｋとなる。
【００７８】
図１３の横軸は、室内熱容量ＣRの値で、参考として、室内側の蓄熱媒体容器２２で蓄熱媒体２０が満充填された本数も示した。縦軸は、シミュレーション計算で求めた最高室温と最低室温である。シミュレーション計算は、「次世代省エネルギー基準（２００９年改訂）の熱損失及び日射取得の算出法」に基づき、用いたパラメータの物性値は、図７、図８で説明した値を用いた。最高室温と最低室温は、一日を通しての室温の最高値と最低値である。
【００７９】
図１３に示すように、室内熱容量ＣRが大きくなるに従い、最高室温と最低室温の差が小さくなる。この結果は、図３で説明した内容とよく一致する。図１３の結果から、室内熱容量ＣRを４ＭＪ／Ｋ以上とすることで、一日を通しての室温を２８℃±２℃とすることが出来ることが分かる。
【００８０】
図１３までは、室内側の蓄熱媒体容器２２の内径を２００ｍｍとして蓄熱媒体容器２２の１本当たりの伝熱面積を一定とした。図１４は、室内側の蓄熱媒体容器２２の本数を６本として、単位伝熱面積当たり熱容量を変化させたときの最高室温と最低室温がどのように変化するかをシミュレーション計算によって求めた結果を示す図である。ここでは、室内側の蓄熱媒体容器２２の内径を、５０ｍｍ、１００ｍｍ、１５０ｍｍ、２００ｍｍ、４００ｍｍ、６００ｍｍとして、単位伝熱面積当たり熱容量を変化させた。シミュレーション計算の方法は図１３と同じである。最高室温と最低室温は、一日を通しての室温の最高値と最低値である。
【００８１】
図１４に示すように、単位伝熱面積当たり熱容量が小さくなるに従い、最高室温と最低室温の差が小さくなる。単位伝熱面積当たり熱容量を約０．２ＭＪ／Ｋ／ｍ2以下とすることで、一日を通しての室温を２８℃±２℃以下とすることが出来ることが分かる。
【００８２】
このように、夏季と冬季に応じて室内熱容量の変化の仕方を変更し、また、一日の時間帯において昼間と夜間とで室内熱容量を変化させることで、室内空間の室温を適切に調整することが可能になる。
【符号の説明】
【００８３】
１０  室温調整システム、１２  大地、１３  アプローチ部、１４  建物、１５  ダイニングキッチンルーム、１６  室内空間、１７  サンルーム、１８  室外空間、１９  付属室、２０，２１  蓄熱媒体、２２，２４  蓄熱媒体容器、２６  接続管路、３０  熱容量調整部、３２，３４  ポンプ装置、３６，３８，４０  開閉弁、５０  最高室温特性線、５２  最低室温特性線、５４，５６，５８，６０  室温特性線、５９，６１  室内熱容量調整。
【図１】
2016003772.tif 000003
【図２】
2016003772.tif 000004
【図３】
2016003772.tif 000005
【図４】
2016003772.tif 000006
【図５】
2016003772.tif 000007
【図６】
2016003772.tif 000008
【図７】
2016003772.tif 000009
【図８】
2016003772.tif 000010
【図９】
2016003772.tif 000011
【図１０】
2016003772.tif 000012
【図１１】
2016003772.tif 000013
【図１２】
2016003772.tif 000014
【図１３】
2016003772.tif 000015
【図１４】
2016003772.tif 000016